(57)【特許請求の範囲】
【請求項１】
広帯域無線接続システムにおいてマップオーバーヘッドを減らすためのリソース領域割当方法であって、
下りリンクデータの送受信のための第１リソース領域を持続的に割り当てるための第１リソース領域割当情報及び第１ＡＣＫ伝送領域を示す第１ＡＣＫ伝送領域割当情報を含む第１持続的下りリンクマップ情報要素（DL MAP IE）を含む第１下りリンクマップメッセージを、基地局から受信する段階と、
移動端末が前記第１持続的下りリンクマップ情報要素を正常に受信すると、前記移動端末は、前記第１ＡＣＫ伝送領域を通じて前記第１下りリンクマップメッセージに対するＡＣＫ信号を前記基地局に伝送する段階と、
前記移動端末は、割り当てられた前記第１リソース領域を通じて前記下りリンクデータを前記基地局から受信する段階と、
を含み、
前記下りリンクデータは、周期的なトラフィックパターン及び固定したペイロード大きさを有する、リソース領域割当方法。
【請求項２】
前記第１ＡＣＫ伝送領域は、非持続的に割り当てられることを特徴とする、請求項１に記載のリソース領域割当方法。
【請求項３】
前記第１リソース領域が変更される場合には、
変更された第２リソース領域を持続的に割り当てるための第２リソース領域割当情報及び第２ＡＣＫ伝送領域割当情報を含む第２持続的マップ情報要素を含む第２下りリンクマップメッセージを受信する段階と、
前記第２持続的マップ情報要素を正常に受信すると、前記第２ＡＣＫ伝送領域割当情報が指示する第２ＡＣＫ伝送領域を通じてＡＣＫ信号を伝送する段階と、
をさらに含むことを特徴とする、請求項２に記載のリソース領域割当方法。
【請求項４】
前記移動端末は、再伝送された前記第１下りリンク制御メッセージを、該第１下りリンク制御メッセージを伝送したフレームの次のフレームまたは所定のフレーム以降で受信することを特徴とする、請求項２に記載のリソース領域割当方法。
【請求項５】
前記第１リソース領域割当情報は、前記第１リソース領域を示すために、直交周波数分割多重接続（ＯＦＤＭＡ）シンボルオフセット、サブチャネルオフセット及びＯＦＤＭＡスロット情報のうち一つ以上を含むことを特徴とする、請求項２に記載のリソース領域割当方法。
【請求項６】
前記下りリンクデータは、インターネットプロトコルベースの音声（ＶｏＩＰ）データを含むことを特徴とする、請求項２に記載のリソース領域割当方法。
【請求項７】
広帯域無線接続システムにおいてマップオーバーヘッドを減らすためのリソース領域割当方法であって、
基地局が、下りリンクデータ送受信のための第１リソース領域を持続的に割り当てるための第１リソース領域割当情報及び第１ＡＣＫ伝送領域を示す第１ＡＣＫ伝送領域割当情報を含む第１持続的下りリンクマップ情報要素（DL MAP IE）を含む第１下りリンクマップメッセージを、移動端末に伝送する段階と、
前記第１持続的下りリンクマップ情報要素が正常に受信されたことを示すＡＣＫ信号を、前記第１ＡＣＫ伝送領域を通じて前記移動端末から受信する段階と、
前記移動端末に前記第１リソース領域を通じて前記下りリンクデータを伝送する段階と、
を含み、
前記下りリンクデータは、周期的なトラフィックパターン及び固定したペイロード大きさを有する、リソース領域割当方法。
【請求項８】
前記第１ＡＣＫ伝送領域は、非持続的に割り当てられることを特徴とする、請求項７に記載のリソース領域割当方法。
【請求項９】
前記第１リソース領域が変更される場合には、
変更された第２リソース領域を持続的に割り当てるための第２リソース領域割当情報及び第２ＡＣＫ伝送領域割当情報を含む第２持続的マップ情報要素を含む第２下りリンクマップメッセージを、前記移動端末に伝送する段階と、
前記第２ＡＣＫ伝送領域割当情報が指示する第２ＡＣＫ伝送領域を通じて、前記第２持続的マップ情報要素が正常に受信されたことを表すＡＣＫ信号を受信する段階と、
をさらに含むことを特徴とする、請求項８に記載のリソース領域割当方法。
【請求項１０】
前記基地局が前記移動端末から前記ＡＣＫメッセージを受信できなかった場合、前記基地局は、前記第１下りリンク制御メッセージを、該第１下りリンク制御メッセージを伝送したフレームの次のフレームまたは所定のフレーム以降で再伝送することを特徴とする、請求項８に記載のリソース領域割当方法。
【請求項１１】
前記第１リソース領域割当情報は、前記第１リソース領域を示すために、直交周波数分割多重接続（ＯＦＤＭＡ）シンボルオフセット、サブチャネルオフセット及びＯＦＤＭＡスロット情報のうち一つ以上を含むことを特徴とする、請求項８に記載のリソース領域割当方法。
【請求項１２】
前記下りリンクデータは、インターネットプロトコルベースの音声（ＶｏＩＰ）データを含むことを特徴とする、請求項８に記載のリソース領域割当方法。
【請求項１３】
広帯域無線接続システムにおいてマップオーバーヘッドを減らすためのリソース領域割当方法を支援する移動端末であって、前記移動端末は、
下りリンクデータの送受信のための第１リソース領域を持続的に割り当てるための第１リソース領域割当情報及び第１ＡＣＫ伝送領域を示す第１ＡＣＫ伝送領域割当情報を含む第１持続的下りリンクマップ情報要素（DL MAP IE）を含む第１下りリンクマップメッセージを、基地局から受信する手段と、
前記移動端末が前記第１持続的下りリンクマップ情報要素を正常に受信すると、前記移動端末は、前記第１ＡＣＫ伝送領域を通じて前記第１下りリンクマップメッセージに対するＡＣＫ信号を前記基地局に伝送する手段と、
前記移動端末は、割り当てられた前記第１リソース領域を通じて前記下りリンクデータを前記基地局から受信する手段と、を備えるように構成され、
前記下りリンクデータは、周期的なトラフィックパターン及び固定したペイロード大きさを有する、移動端末。
【請求項１４】
前記第１ＡＣＫ伝送領域は、非持続的に割り当てられることを特徴とする、請求項１３に記載の移動端末。
【請求項１５】
前記第１リソース領域が変更される場合に、前記移動端末は、
変更された第２リソース領域を持続的に割り当てるための第２リソース領域割当情報及び第２ＡＣＫ伝送領域割当情報を含む第２持続的マップ情報要素を含む第２下りリンクマップメッセージを受信する手段と、
前記第２持続的マップ情報要素を正常に受信すると、前記第２ＡＣＫ伝送領域割当情報が指示する第２ＡＣＫ伝送領域を通じてＡＣＫ信号を伝送する手段と、をさらに備えるように構成されることを特徴とする、請求項１４に記載の移動端末。
【請求項１６】
前記移動端末は、再伝送された前記第１下りリンク制御メッセージを、該第１下りリンク制御メッセージを伝送したフレームの次のフレームまたは所定のフレーム以降で受信することを特徴とする、請求項１４に記載の移動端末。
【請求項１７】
前記第１リソース領域割当情報は、前記第１リソース領域を示すために、直交周波数分割多重接続（ＯＦＤＭＡ）シンボルオフセット、サブチャネルオフセット及びＯＦＤＭＡスロット情報のうち一つ以上を含むことを特徴とする、請求項１４に記載の移動端末。
【請求項１８】
前記下りリンクデータは、インターネットプロトコルベースの音声（ＶｏＩＰ）データを含むことを特徴とする、請求項１４に記載の移動端末。
【請求項１９】
広帯域無線接続システムにおいてマップオーバーヘッドを減らすためのリソース領域割当方法を支援する基地局であって、前記基地局は、
下りリンクデータ送受信のための第１リソース領域を持続的に割り当てるための第１リソース領域割当情報及び第１ＡＣＫ伝送領域を示す第１ＡＣＫ伝送領域割当情報を含む第１持続的下りリンクマップ情報要素（DL MAP IE）を含む第１下りリンクマップメッセージを、移動端末に伝送する手段と、
前記第１持続的下りリンクマップ情報要素が正常に受信されたことを表すＡＣＫ信号を、前記第１ＡＣＫ伝送領域を通じて前記移動端末から受信する手段と、
前記移動端末に前記第１リソース領域を通じて前記下りリンクデータを伝送する手段と、を備えるように構成され、
前記下りリンクデータは、周期的なトラフィックパターン及び固定したペイロード大きさを有する、基地局。
【請求項２０】
前記第１ＡＣＫ伝送領域は、非持続的に割り当てられることを特徴とする、請求項１９に記載の基地局。
【請求項２１】
前記第１リソース領域を変更する場合には、前記基地局は、
変更された第２リソース領域を持続的に割り当てるための第２リソース領域割当情報及び第２ＡＣＫ伝送領域割当情報を含む第２持続的マップ情報要素を含む第２下りリンクマップメッセージを、前記移動端末に伝送する手段と、
前記第２ＡＣＫ伝送領域割当情報が指示する第２ＡＣＫ伝送領域を通じて、前記第２持続的マップ情報要素の成功的な受信を表すＡＣＫ信号を受信する手段と、をさらに備えるように構成されること特徴とする、請求項２０に記載の基地局。
【請求項２２】
前記移動端末から前記ＡＣＫメッセージを受信できなかった場合、前記基地局は、前記第１下りリンク制御メッセージを、前記第１下りリンク制御メッセージを伝送したフレームの次のフレームまたは所定のフレーム以降で再伝送すること特徴とする、請求項２０に記載の基地局。
【請求項２３】
前記第１リソース領域割当情報は、前記第１リソース領域を示すために、直交周波数分割多重接続（ＯＦＤＭＡ）シンボルオフセット、サブチャネルオフセット及びＯＦＤＭＡスロット情報のうち一つ以上を含むこと特徴とする、請求項２０に記載の基地局。
【請求項２４】
前記下りリンクデータは、インターネットプロトコルベースの音声（ＶｏＩＰ）データを含むこと特徴とする、請求項２０に記載の基地局。
【発明の詳細な説明】
【技術分野】
【０００１】
本発明は、無線アクセスシステムに関し、より詳細には、頻繁なパケットの伝送のためのパケット伝送方法及び無線通信システムにおける無線リソース割当方法に関する。
【背景技術】
【０００２】
以下では、広帯域無線アクセスシステムでＩＰベースの音声（Voice over Internet Protocol；以下、「ＶｏＩＰ」という。）サービスを用いる端末にパケットを伝送する方法について説明する。ＶｏＩＰトラフィックは、ＶｏＩＰコーデックで固定された周期を有する固定された大きさで生成される。ＶｏＩＰ通信は、ユーザ間に通話が行われている状態である会話区間（talk-spurt）とユーザが話さずに聞いている状態である無音区間（silence period）とに区分することができ、無音区間は、通常のコールセッション全体において５０％以上を占める。
【０００３】
したがって、会話区間と無音区間に互いに異なる量の帯域幅を割り当てるために様々な音声コーデックを使用する。その代表には、ＧＳＭ（Global System for Mobile communication）とＵＭＴＳ（Universal Mobile Telecommunications System）で使用している適応的多重レート手法（AMR:Adaptive Multi-Rate）がある。
【０００４】
無音区間では音声データが生成されず、もし、無音区間に帯域幅が割り当てられると、無線リソースの浪費になりうる。これを防止するために、ＶｏＩＰは無音抑制（silence suppression）方法をサポートする。無音抑制手法によると、ＶｏＩＰトラフィックを生成するボコーダ（vocoder）は、無音期間にはトラフィックを生成せず、相手側のユーザに呼（call）が維持されていることを知らせるために周期的に確認雑音（comfort noise）を生成する。例えば、上述したＡＭＲコーデックを使用するボコーダは、会話区間で２０ｍｓにつき一回の固定された大きさのパケットを生成し、無音区間では１６０ｍｓごとに確認雑音を生成する。
【０００５】
ＶｏＩＰのように固定された大きさの一定の周期を有するトラフィックデータに対するリソース割当を遂行するために、Ｎｏｄｅ−Ｂまたは基地局（ＢＳ）は、特定端末に指定された領域を固定的に割り当てることができる。例えば、基地局は、ＶｏＩＰサービスを支援する端末に、初期に定められた大きさの領域を割り当て、また、割り当てられた領域情報を、制御チャネルまたは制御メッセージ（例えば、ＵＬ−ＭＡＰまたはＤＬ−ＭＡＰ）を通じて端末に知らせることができる。このように初期に伝送される制御チャネルまたは制御メッセージは、後に割り当てられる領域の周期情報も一緒に含むことができる。
【０００６】
次の周期から、基地局は、初期に伝送した制御チャネルまたは制御メッセージを用いて、端末に知らせた領域に対して特別な通知無しで該当の領域を引き続き割り当てることができる。これにより、端末は、初期にマップにより割り当てられた領域情報を用いて割り当てられた領域を通じてＶｏＩＰパケットを伝送し、周期情報を用いて次の周期からは同じ領域を通じてＶｏＩＰパケットを伝送する。
【０００７】
例えば、ＶｏＩＰサービスを考慮して、フレーム（frame）の長さを５ｍｓにし、ＶｏＩＰパケットの伝送のために端末に割り当てられるフレーム周期を４フレームに設定した場合、端末がＶｏＩＰパケットの伝送のために割り当てられるフレームの周期は、サービスの特性によって異なってくることがある。特に、同一のＶｏＩＰサービスの場合であっても、システムの特性（例えば、フレームの長さによるシステム特性）及びＶｏＩＰサービスの状態（例えば、会話区間または無音区間）などのそれぞれの考慮要素にしたがって、ＶｏＩＰパケットの伝送のために割り当てられるフレーム周期が別々に定義されることができる。
【０００８】
基地局は、初期フレームで端末にＵＬ−ＭＡＰを通じてＶｏＩＰパケットの伝送のための割当領域情報を知らせる。もし、基地局が各周期に相当する４番目のフレーム、８番目のフレームにあると、ＵＬ−ＭＡＰを通じて領域情報を知らせずに単にＶｏＩＰパケットの伝送のための領域のみを割り当てる。
【０００９】
この場合、ＶｏＩＰパケットの伝送のために割り当てられる周期は４フレーム（すなわち、２０ｍｓ）である。
【００１０】
端末は、初期フレームで受信したＵＬ−ＭＡＰに含まれた領域割当情報を保存する。したがって、端末は、割当周期に該当する４番目のフレーム、８番目のフレームで別のＵＬ−ＭＡＰ受信がなくても、該当の領域を通じてＶｏＩＰパケットを伝送することができる。このように、基地局は、ＶｏＩＰトラフィック特性の上、一つのＶｏＩＰ接続に対して固定的で持続的にリソースを割り当てることができる。
【００１１】
下りリンクで新しい伝送領域を割り当てるための制御メッセージが有線または無線上で失われる場合は、通常のシステムにおいては、端末と基地局が認識している伝送領域に関する情報が互いに異なるという問題が生じうる。したがって、下りリンクでは基地局が伝送したＶｏＩＰパケットを端末が受信できない場合が生じうる。
【００１２】
上りリンクの場合には、端末が受け取った第２伝送領域を通じてＶｏＩＰパケットを伝送しても、基地局が第２伝送領域を他の端末に割り当てる問題が生じうる。すなわち、もし、端末が第２伝送領域を通じてＶｏＩＰパケットを伝送した場合、他の端末がパケット伝送に失敗することがある。もし、システムでＨＡＲＱ−ＩＲ（Incremental Redundancy）を使用する場合は、再伝送回数がさらに増加する予期せぬ問題点が生じうる。
【発明の概要】
【発明が解決しようとする課題】
【００１３】
本発明は、上記の問題点を解決するために案出されたものである。
【００１４】
本発明の目的は、端末に持続的なサービスのためのリソース領域及び制御チャネルを割り当てる方法を提供することにある。
【００１５】
本発明の他の目的は、端末が無線リソースを割り当てるための制御メッセージを受信できない場合における問題点を解決する方法を提供することにある。
【００１６】
本発明のさらに他の目的は、上り及び下りリンクに対するＶｏＩＰパケット伝送の際に、端末がＶｏＩＰパケット伝送領域を割り当てるための制御メッセージを受信できなかった場合に、当該伝送領域を再割当する方法を提供することにある。
【００１７】
本発明のさらに他の目的は、ＶｏＩＰパケット送受信のための無線リソースを割当、変更及び削除する時に生じうる問題を解決する方法を提供することにある。
【課題を解決するための手段】
【００１８】
本発明は、上記の技術的課題を解決するために考案されたものである。本発明の実施例によれば、無線アクセスシステムにおいて、無線リソースを割り当てる方法が提供される。上記方法は、移動端末が上りリンクデータを基地局に伝送するための第１リソース割当領域と関連した第１リソース割当情報を含む第１持続的上りリンク割当情報要素を含む無線リソース割当と関連した制御メッセージを受信する段階と、移動端末が第１持続的上りリンク割当情報要素の成功的受信に応答して前記基地局に受信確認（ＡＣＫ）メッセージを伝送する段階と、を含むことができる。
【００１９】
前記第１実施例の一側面として、移動端末は、割り当てられた第１リソース割当領域を通じて上りリンクデータを基地局に伝送する段階をさらに含むことができる。もし、基地局が移動端末からＡＣＫメッセージを受信できないと、第１持続的上りリンク割当情報要素を再伝送することができる。この時、第１持続的上りリンク割当情報要素は、ＡＣＫメッセージを受信できなかった後に所定のフレーム後に再伝送されることが好ましい。上りリンクデータのペイロード大きさは、固定された大きさを有することができ、前記上りリンクデータは、ＩＰベースの音声（ＶｏＩＰ）データを含むことができる。
【００２０】
上記第１実施例の他の側面として、第１リソース割当情報は、直交周波数分割多重化接続（ＯＦＤＭＡ）シンボルオフセット、サブチャネルオフセット及びＯＦＤＭＡスロット情報を含むことができる。また、第１持続的上りリンク割当情報要素は、ＡＣＫ伝送領域と関連した第１ＡＣＫ情報をさらに含み、ＡＣＫメッセージは、第１ＡＣＫ情報で指示されたＡＣＫ伝送領域を通じて伝送されることができる。
【００２１】
上記第１実施例の他の側面として、第１持続的上りリンク割当情報要素は、第１リソース割当領域が割当（allocation）されるかまたは解除（de-allocation）されるかを表すフィールドをさらに含むことができる。
【００２２】
前記第１実施例の他の側面として、前記方法は、前記第１持続的上りリンク割当情報要素をＭＳから保存する段階を含むことができる。前記方法は、上りリンクデータを伝送するための第２リソース割当領域と関連した第２リソース割当情報を含む第２持続的上りリンク割当情報要素を受信する段階をさらに含むことができる。さらに、前記方法は、第２持続的上りリンク割当情報要素を保存する段階と、第２持続的上りリンク割当情報要素を成功的な受信に応答してＡＣＫ信号を前記基地局に伝送する段階と、をさらに含むことができる。
【００２３】
前記方法は、移動端末が、上りリンクデータを、割り当てられた第２リソース割当領域を通じて基地局に伝送する段階をさらに含むことができる。この時、移動端末は、第２リソース割当領域と関連した第２持続的上りリンク割当情報要素を受信するまで、第１リソース割当領域を通じて上りリンクデータを引続き伝送することが好ましい。
【００２４】
本発明の他の側面としては、第２持続的上りリンク割当情報要素は、ＡＣＫ伝送領域と関連した第２ＡＣＫ情報をさらに含み、ＡＣＫメッセージは、第２ＡＣＫ情報が指し示すＡＣＫ伝送領域を通じて伝送されることができる。
【００２５】
本発明の実施例によれば、無線アクセスシステムで無線リソースを割り当てる方法は、移動端末が下りリンクデータを受信するための第１リソース割当領域と関連した第１リソース割当情報を含む第１持続的上りリンク割当情報要素を含む制御メッセージを基地局から受信する段階と、第１持続的上りリンク割当情報要素の成功的受信に応答してＡＣＫメッセージを基地局に伝送する段階と、を含むことができる。
【００２６】
前記本発明の一側面として、前記方法は、基地局から下りリンクデータを、割り当てられた第１リソース割当領域を通じて受信する段階をさらに含むことができる。この時、下りリンクデータのペイロード大きさは固定されたものとすることが好ましい。
【００２７】
前記本発明の他の側面として、前記方法は、下りリンクデータを受信するための第２リソース割当領域と関連した第２リソース割当情報を含む第２持続的下りリンク割当情報要素を受信する段階をさらに含むことができる。前記第２実施例は、第２持続的下りリンク割当情報要素を保存する段階と、移動端末が受信確認（ＡＣＫ）信号を第２持続的下りリンク割当情報要素の成功的受信に応答して基地局に伝送する段階と、をさらに含むことができる。
【００２８】
また、前記方法は、割り当てられた第２リソース割当領域を通じて基地局から下りリンクデータを受信する段階をさらに含むことができる。ＭＳは、第２リソース割当領域に関する第２持続的下りリンク割当情報要素を受信するまで、第１リソース割当領域を通じて下りリンクデータを受信することができる。第１持続的下りリンクリソース割当情報は、ＯＦＤＭＡシンボルオフセット、サブチャネルオフセット及びＯＦＤＭＡスロットのうち一つ以上を含むことができる。
【００２９】
本発明の実施例として、無線アクセスシステムで無線リソースを割り当てる方法は、データを通信するための第１リソース割当領域と関連した第１リソース割当情報を含む第１持続的割当情報要素を含む無線リソース割当と関連した制御メッセージを移動端末に伝送する段階と、第１持続的割当情報要素の成功的受信に対する応答としてＡＣＫメッセージを移動端末から受信する段階と、を含むことができる。前記実施例の一側面として、前記方法は、割り当てられた第１リソース割当領域を通じてデータを通信する段階をさらに含むことができる。この時、データのペイロード大きさは、固定された大きさにすることが好ましい。
【００３０】
前記方法の一側面として、前記方法は、データを通信するための第２リソース割当領域と関連した第２リソース割当情報を含む第２持続的割当情報要素を伝送する段階をさらに含むことができる。前記方法は、第２持続的割当情報要素を保存する段階と、第２持続的割当情報要素の成功的受信に対する応答として移動端末から受信確認（ＡＣＫ）メッセージを受信する段階と、をさらに含むことができる。前記本発明の他の側面として、前記方法は、割り当てられた第２リソース割当領域を通じて移動端末にデータを伝送する段階をさらに含むことができる。
【００３１】
前記本発明の他の側面として、前記方法は、基地局は、第２リソース割当領域と関連した第２持続的割当情報要素を移動端末に伝送するまで、第１リソース割当領域を通じて移動端末と継続してデータを通信することができる。
【００３２】
本発明の他の側面として、前記第１持続的割当情報要素はＡＣＫ伝送領域割当情報をさらに含み、ＡＣＫメッセージはＡＣＫ伝送領域割当情報が指し示すＡＣＫ伝送領域を通じて受信することができる。この時、前記第１持続的上りリンク割当情報は、ＯＦＤＭＡシンボルオフセット、サブチャネルオフセット及びＯＦＤＭＡスロット情報のうち少なくとも一つを含むことができる。
【００３３】
前述した説明及び、以下で説明する本発明の詳細な説明は、例示的及び説明的であり、請求された本願発明のさらなる例示を提供するためのものである。
【発明の効果】
【００３４】
本発明によると、下記のような効果が得られる。
【００３５】
第一に、本発明の実施例は、ＶｏＩＰサービスを提供するための伝送領域を割り当てる制御メッセージが失われたり誤りが生じたりする場合にも、速かに制御メッセージを再伝送することによって端末と基地局の間におけるパケット損失問題を解消することができる。
【００３６】
第二に、本発明によると、上りリンクで端末と基地局が認識している伝送領域が相違することから生じうる問題を解決することができる。すなわち、端末と基地局が相違する伝送領域を認識していることから生じうるＶｏＩＰパケットの損失を防止することができる。また、端末が自身に割り当てられた領域の他に、他の領域に対する情報も持っているため、他の端末がパケットを伝送する場合に生じうる衝突の問題を解決することができる。
【００３７】
第三に、伝送領域の割当のための制御メッセージが失われても、直ちに伝送領域を再割当することができる。したがって、基地局が端末に割り当てた下りリンク伝送領域を端末が認識できない問題点を解決することができる。
【００３８】
第四に、周期的トラフィックパターン及び相対的に固定された大きさのペイロード（例えば、データ情報など）の連結のためのマップメッセージのオーバーヘッドを減らすことができる。
【００３９】
添付の図面は、本発明の理解をさらに助けるために提供されるもので、本発明の原理を説明する記載とともに本発明の実施例を図示する。
【図面の簡単な説明】
【００４０】
【図１】上りリンクでＭＡＰメッセージを用いて基地局が端末に固定された無線リソースを割り当てる方法の一例を示すフローチャートである。
【図２】下りリンクでＭＡＰメッセージを用いて基地局が端末に固定された無線リソースを割り当てる方法の一例を示すフローチャートである。
【図３】本発明の一実施例による、ＶｏＩＰサービスを提供するための無線リソース領域を割り当てる方法を示すフローチャートである。
【図４】本発明の好ましい一実施例による、上りリンクにおけるＶｏＩＰ関連ＭＡＰメッセージ伝送方法を示すフローチャートである。
【図５】本発明の好ましい一実施例による、下りリンクにおけるＶｏＩＰ関連ＭＡＰメッセージ伝送方法を示すフローチャートである。
【図６】本発明の好ましい一実施例による、上りリンクにおけるＶｏＩＰ関連ＭＡＰメッセージの再伝送方法を示すフローチャートである。
【図７】本発明の好ましい一実施例による、下りリンクにおけるＶｏＩＰ関連ＭＡＰメッセージ伝送方法を示すフローチャートである。
【図８】本発明の好ましい一実施例による、上りリンクでＶｏＩＰ関連ＭＡＰメッセージを再伝送する方法を示すフローチャートである。
【図９】本発明の好ましい一実施例による、下りリンクでＶｏＩＰ関連ＭＡＰメッセージを再伝送する方法を示すフローチャートである。
【図１０】本発明の他の実施例による、上りリンクでＶｏＩＰサービスと関連した制御メッセージを再伝送する一例を示すフローチャートである。
【図１１】本発明の他の実施例による、下りリンクでＶｏＩＰサービスと関連した制御メッセージを再伝送する一例を示すフローチャートである。
【発明を実施するための形態】
【００４１】
以下詳細な説明において、本発明の特定実施例を説明するために添付された図面を参照することができる。本技術範囲で一般的な技術を持った者は、本発明の範囲を逸脱しない範囲で、他の実施例を作ることができ、方法的、構造的、および電気的変更をすることができる。可能ならば、図面における同一の参照番号は、同じであったり、類似した部分を現わすのに使われることが可能である。
【００４２】
本発明を説明するのに先立ち、大部分の用語は当該技術の一般的な用語に対応するが、以下、出願人の必要によって選択された幾つか用語は本発明の詳細な説明に開示される。したがって、上記出願人によって定義された用語は、本発明でそれらの意味に基づいて理解されることが望ましい。
【００４３】
本発明は無線アクセスシステムに関するものである。より詳細に、本発明はパケットを頻繁に伝送する場合、パケット伝送方法および無線アクセスシステムにおける無線リソース割当方法を提供する。
【００４４】
本発明の実施例で説明される動作の順序は変更可能である。ある実施例の一部構成や特徴は他の実施例に含まれることができ、必要にそって、他の実施例の対応する構成または特徴に取って代わることもできる。
【００４５】
本発明の実施例は基地局と端末間のデータ送受信関係を中心に説明される。ここで、基地局は、端末と直接通信を行うネットワークの終端ノード（terminal node）を意味する。本明細書で、基地局により行われるとした特定動作は、場合によっては基地局の上位ノード（upper node）により行われることもできる。すなわち、基地局を含む多数のネットワークノード（network nodes）からなるネットワークで、端末との通信のために行われる様々な動作は、基地局または基地局以外の他のネットワークノードにより行われることもできる。
【００４６】
「基地局」は、固定局（fixed station）、ＮｏｄｅＢ、ｅＮｏｄｅＢ（ｅＮＢ）、アクセスポイント（access point）などの用語に代替可能である。また、「移動端末（MS: Mobile Station）」は、ＵＥ（User Equipment）、ＭＳＳ（Mobile Subscriber Station）などの用語に代替可能である。
【００４７】
以下の本発明の実施例は、頻繁なパケットの伝送を必要とするサービスとしてＶｏＩＰサービスを説明する。ただし、本発明はＶｏＩＰサービスに限定されず、頻繁なパケットの送受信を必要とするいずれのサービスにも適用可能である。以下、頻繁なパケット伝送を必要とする場合、特にＶｏＩＰのためのパケット伝送方法及びリソース割当方法について説明する。
【００４８】
図１は、端末から基地局にＶｏＩＰパケットを伝送する上りリンクの場合を示す。図１を参照すると、端末と基地局は、ＶｏＩＰサービスを生成する時に、持続的なリソース割当方法を使用できるか否か協議する（Ｓ１０１）。
【００４９】
Ｓ１０１段階で、持続的なリソース割当が可能であると、基地局は、ＵＬ−ＭＡＰメッセージにＶｏＩＰ＿ＵＬ＿ＩＥを含めて、ＶｏＩＰサービスを提供するための無線伝送領域を割り当てる（Ｓ１０２）。このＵＬ−ＭＡＰメッセージは制御メッセージであり、端末が基地局にＶｏＩＰパケットを伝送するための無線伝送領域を含む。すなわち、基地局は、ＵＬ−ＭＡＰメッセージを通じて端末に第１伝送領域を割り当てる。
【００５０】
基地局からＵＬ−ＭＡＰメッセージを受信した端末は、ＵＬ−ＭＡＰメッセージに含まれた第１伝送領域に関する割当情報を保存する（Ｓ１０３）。
また、端末は、基地局から割り当てられた第１伝送領域を通じてＶｏＩＰパケットを基地局に伝送する（Ｓ１０４）。
【００５１】
この時、ＶｏＩＰパケットのように固定された大きさの一定の周期を有するトラフィックリソースを割り当てるために、基地局は、Ｓ１０２段階で端末に第１伝送領域を固定的に割り当てた。したがって、基地局は、初期に伝送した制御チャネルまたは制御メッセージを通じて、別の通知なく、第１伝送領域を続けて端末に割り当てることができる。
【００５２】
ＶｏＩＰパケットは一定の周期で伝送されるので、端末は、次の周期（例えば、２０ｍｓ後）で第１伝送領域を通じて基地局に次のＶｏＩＰパケットを伝送する（Ｓ１０５）。端末と基地局の間においてＶｏＩＰサービスを送受信する過程で、チャネル環境またはデータ伝送環境が悪化し、第１伝送領域を通じてパケットを送受信することが困難になる場合が生じうる。この場合、基地局は、制御メッセージであるＵＬ−ＭＡＰメッセージにＶｏＩＰ＿ＵＬ＿ＩＥを含めて、第２伝送領域を端末に割り当てることができる。この時、第２伝送領域は、第１伝送領域と異なる位置に割り当てられる（Ｓ１０６）。
【００５３】
Ｓ１０６段階でＵＬ−ＭＡＰメッセージを受信した端末は、ＶｏＩＰサービスのための第１伝送領域を、ＵＬ−ＭＡＰメッセージに含まれた第２伝送領域に更新し（Ｓ１０７）、この第２伝送領域を通じてＶｏＩＰパケットを基地局に伝送することができる（Ｓ１０８）。
【００５４】
第２伝送領域を通じてＶｏＩＰパケットを受信していた基地局が伝送領域を変える必要がありうる。したがって、基地局は、第２伝送領域と異なる第３伝送領域を端末に割り当てるために、ＶｏＩＰ＿ＵＬ＿ＩＥの含まれたＵＬ−ＭＡＰメッセージを端末に伝送する（Ｓ１０９）。
【００５５】
しかし、Ｓ１０９段階で、ＵＬ−ＭＡＰメッセージが有線または無線上で失われ、端末がそれを受信できないか、または、受信するとしてもＵＬ−ＭＡＰメッセージに誤りが生じ、このメッセージを端末が認識できない場合がありうる。
【００５６】
この場合、端末はＳ１０９段階で新しく割り当てられた第３領域情報を認識できず、次の周期では以前情報（例えば、第２伝送領域情報）を用いて基地局にＶｏＩＰパケットを伝送する（Ｓ１１０）。したがって、Ｓ１１０段階で基地局が第２伝送領域を他の端末のＶｏＩＰサービスのために割り当てると、同一の第２伝送領域を通じて２つ以上の端末がＶｏＩＰパケットを伝送する。結果的に、パケットが衝突し、基地局はパケットを受信できなくなる可能性もある。また、基地局が端末に割り当てた第３伝送領域を通じてパケットを受信できず、よって、基地局が端末から正常にパケットを受信することができないという問題も生じうる。
【００５７】
図２を参照すると、Ｓ２０１段階〜Ｓ２０３段階は、図１におけるＳ１０１段階〜Ｓ１０３段階と略同様である。すなわち、基地局は、制御メッセージであるＤＬ−ＭＡＰメッセージを用いて端末に第１伝送領域を割り当て、端末は第１伝送領域に関する割当情報を保存し、基地局からＶｏＩＰパケットを受信する準備をする。
【００５８】
基地局は、第１伝送領域を通じてＶｏＩＰパケットを端末に伝送する（Ｓ２０４）。この時、ＶｏＩＰパケットのように固定された大きさの一定の周期を有するトラフィックに対する無線リソースを割り当てるために、基地局は、Ｓ２０２段階で端末に第１伝送領域を固定的に割り当てた。したがって、基地局は、初期に伝送した制御チャネルまたは制御メッセージを通じて、別の通知なく、第１伝送領域を続けて端末に割り当てることができる。
【００５９】
ＶｏＩＰパケットは一定の周期で伝送されるので、基地局は、次の周期（例えば、２０ｍｓ後）で第１伝送領域を通じて端末に次のＶｏＩＰパケットを伝送する（Ｓ２０５）。端末と基地局の間においてＶｏＩＰサービスを送受信する過程で、チャネル環境またはデータ伝送環境が悪化し、第１伝送領域を通じてパケットを送受信することが困難になる場合が生じうる。この場合、基地局は、制御メッセージであるＤＬ−ＭＡＰメッセージにＶｏＩＰ＿ＤＬ＿ＩＥを含めて、第１伝送領域と異なる第２伝送領域を端末に割り当てることができる（Ｓ２０６）。
【００６０】
Ｓ２０６段階でＤＬ−ＭＡＰメッセージを受信した端末は、該ＤＬ−ＭＡＰメッセージに含まれた第２伝送領域に更新する（Ｓ２０７）。基地局は、Ｓ２０６段階で端末に割り当てた第２伝送領域を通じてＶｏＩＰパケットを端末に伝送することができる（Ｓ２０８）。
【００６１】
第２伝送領域を通じてＶｏＩＰサービスを提供する途中に、ＶｏＩＰパケットを伝送する領域を変える必要が生じうる。したがって、基地局は第２伝送領域と異なる第３伝送領域を割り当てるために、ＶｏＩＰ＿ＤＬ＿ＩＥの含まれたＤＬ−ＭＡＰメッセージを端末に伝送する（Ｓ２０９）。
【００６２】
しかし、Ｓ２０９段階でＤＬ−ＭＡＰメッセージが有線または無線上で失われ、端末がそれを受信できない、または、受信したとしてもＤＬ−ＭＡＰメッセージに誤りが生じ、端末がそれを認識できない場合がありうる。
【００６３】
この場合、端末は、前記Ｓ２０９段階でＤＬ−ＭＡＰメッセージを正常に受信できなかったため、第３伝送領域に関する情報がわからない。したがって、基地局は周期的に第３伝送領域を通じてＶｏＩＰパケットを端末に伝送するが、端末は、上記ＶｏＩＰパケットを受信できない問題点が生じうる。
【００６４】
図１及び図２では、基地局が制御メッセージであるＭＡＰ ＩＥを用いて端末にリソース領域を割当（または変更、削除）する場合を示している。しかし、ＶｏＩＰサービスのための伝送領域を変更しようとする場合に、端末がＭＡＰ ＩＥを正常に受信できないと、端末と基地局が互いに異なる伝送領域に関する情報を持っているから、パケットを伝送する過程で問題が生じうる。
【００６５】
図３を参照すると、端末と基地局の間にＶｏＩＰサービスが生成される（Ｓ３０１）。Ｓ３０１段階で、基地局と端末は、ＶｏＩＰサービスを生成する時に、持続的なリソース割当方法を使用できるか否か協議する。本発明の一実施例では、持続的なリソース割当方法を使用可能である（persistent allocation enable）とする。
【００６６】
基地局は端末に制御メッセージ（例えば、ＭＡＰメッセージ）を用いてＶｏＩＰパケットを送受信するための第１伝送領域を割り当てる（Ｓ３０２）。
【００６７】
すなわち、上りリンクでは端末が第１伝送領域を通じてＶｏＩＰパケットを基地局に伝送し、下りリンクでは基地局が第１伝送領域を通じてＶｏＩＰパケットを端末に伝送する。
【００６８】
基地局が端末にＶｏＩＰサービスを提供する途中に、使用リソース環境が変化する、又は通信品質が悪化する場合が生じうる。この場合、基地局はＶｏＩＰサービスのためのパケット伝送領域を変更する旨決定する（Ｓ３０３）。
【００６９】
基地局は、変更された第２伝送領域を端末に割り当てる。基地局は、変更された第２伝送領域を通じてＶｏＩＰサービスを送受信することができる（Ｓ３０４）。
【００７０】
Ｓ３０４段階で基地局は端末に第２伝送領域を割り当てるために制御メッセージを使用することができる。制御メッセージは堅固な特性を有するメッセージであり、ＭＡＰメッセージを含む。ＭＡＰメッセージ（ＤＬ−ＭＡＰ／ＵＬ−ＭＡＰ）は、ユーザ別リソース割当のためのものである。マップ（ＭＡＰ）メッセージは、各フレームの間隔で端末にリソースが割り当てられた結果を動的に通報する管理用ＭＡＣ管理メッセージ（MAC Management Message）である。
【００７１】
ＵＬ−ＭＡＰ及びＤＬ−ＭＡＰはそれぞれ下りリンク及び上りリンクで各端末別に動的に割り当てられたサブチャネル（Subchannel）の位置と数を指定する。特に、ＤＬ−ＭＡＰは、一つの基地局で管理される全接続（Connection）に関連する情報の集合を表すブロードキャスティングメッセージであり、帯域割当情報、フレーム構成情報及びＡＣＫ／ＮＡＣＫのような主要情報を含むことができる。
【００７２】
下記の表１は、ＶｏＩＰリソースの割当、変更及び削除のために使用可能な上りリンクに対するマップ要素（ＶｏＩＰ＿ＵＬ＿ＩＥ）の一例を示す。
【００７３】
【表１】
0005486074.tif 000002
【００７４】
図３を参照すると、Ｓ３０４段階で、基地局が第２伝送領域を割り当てるために制御メッセージを端末に伝送する。こうすると、端末は、当該制御メッセージを受信して第２伝送領域を認識することができる（Ｓ３０５）。もし、端末が制御メッセージを正常に受信して第２伝送領域を認識すると（「Yes」）、端末は、第２伝送領域を通じてＶｏＩＰパケットを送信及び受信することができる（Ｓ３０６）。
【００７５】
Ｓ３０５段階で端末が制御メッセージを受信できない場合（「No」）がありうる。また、制御メッセージが有線または無線上で失われたり、端末がそれを受信したとしても制御メッセージに誤りがあって端末が認識できない場合が生じうる。この場合は、基地局で特定のアルゴリズムを用いて端末に第２伝送領域を再割当する（Ｓ３０７）。Ｓ３０７段階は、端末が新しい伝送領域である第２伝送領域を認識するまで繰り返すことができ、その回数は通信環境及びシステムの具現方法によって決定すればいい。
【００７６】
Ｓ３０７段階で第２伝送領域を再割当するために様々な形態のアルゴリズムを用いることができる。様々なアルゴリズムの一つに、第２伝送領域を割り当てるための制御メッセージを正常に受信した場合、該制御メッセージに対する受信肯定確認（ACK: Acknowledgment）信号を基地局に伝送して、端末が第２伝送領域を正常に認識したということを通知することがある。
【００７７】
もし、端末が制御メッセージを正常に受信できなかった場合には、端末はＡＣＫ信号を伝送することができない。基地局が伝送領域を割り当てるための制御メッセージを伝送した後に端末からＡＣＫ信号を受信できなかった場合には、次のフレームまたはシステムで定められたフレーム（例えば、Ｎフレーム）後に当該制御メッセージを再伝送することができる。
【００７８】
Ｓ３０７段階で、様々なアルゴリズムの一つとして、基地局が第２伝送領域に対する信号の有無を判断して第２伝送領域を再割当する方法を使用することができる。この場合には、ＡＣＫ信号を使用せずに、基地局が、第２伝送領域に端末から信号が伝送されるか否かに基づいて制御メッセージを再伝送するか否かを決定することができる。それ以外にも第２伝送領域を割り当てるための様々なアルゴリズムが使用可能である。
【００７９】
以下、本発明の好ましい一実施例として、ＶｏＩＰサービスのための無線リソースを割当、変更及び削除するための制御メッセージに応答として受信肯定確認（ＡＣＫ）信号を使用する方法について説明する。制御メッセージとしてＭＡＰ ＩＥを使用する時、基地局からＶｏＩＰ関連ＭＡＰ ＩＥ（例えば、ＶｏＩＰ＿ＤＬ＿ＩＥまたはＶｏＩＰ＿ＵＬ＿ＩＥ）を受信した端末は、ＭＡＰ ＩＥに対する応答としてＡＣＫ信号を基地局に伝送することができる。この時、基地局は、端末がＡＣＫ信号を伝送できるように指定されたフレームに制御チャネルを割り当てる。
【００８０】
また、端末が基地局に制御メッセージに対する応答として伝送するＡＣＫ信号は、ハイブリッド自動再送要求（Hybrid Automatic Repeat Request：ＨＡＲＱ）のＡＣＫ／ＮＡＣＫ、ＡＣＫメッセージまたはＡＣＫヘッダとすることができる。もし、基地局が該当のフレームでＡＣＫ信号を受信できなかった場合は、端末に伝送した制御メッセージを指定されたフレームに再伝送したり、以前に端末に知らせた無線リソース情報を用いて端末に無線リソースを割り当てることができる。
【００８１】
図４を参照すると、上りリンクで、端末と基地局との間にＶｏＩＰサービスを生成し、第１伝送領域を割り当てる過程は、図１におけるＳ１０１〜Ｓ１０４段階と同様である。したがって、図４では、それ以降の段階から説明する。
【００８２】
端末は、基地局から割り当てられた第１伝送領域を通じて基地局にＶｏＩＰパケットを伝送する（Ｓ４０１）。ＶｏＩＰパケットを送受信する過程で通信環境の悪化またはその他の理由により伝送領域を変更する必要が生じうる。この時、基地局は、制御メッセージであるＵＬ−ＭＡＰ（ＶｏＩＰ＿ＵＬ＿ＩＥ）メッセージを用いて第２伝送領域を端末に割り当てることができる（Ｓ４０２）。また、基地局は、該制御メッセージを通じてＡＣＫ信号伝送のための領域を割り当てることができる。
【００８３】
基地局から制御メッセージを受信した端末は、制御メッセージに含まれた第２伝送領域を新しい伝送領域として更新できる（Ｓ４０３）。Ｓ４０２段階で端末は制御メッセージを正常に受信したので、それに応答して、ＨＡＲＱ、ＡＲＱ、ＡＣＫメッセージまたはＡＣＫヘッダのようなＡＣＫ信号を基地局に伝送することができる（Ｓ４０４）。以後、端末は、基地局から割り当てられた新しい伝送領域である第２伝送領域を通じてＶｏＩＰパケットを基地局に伝送することができる（Ｓ４０５）。
【００８４】
図５を参照すると、下りリンクで、端末と基地局の間にＶｏＩＰサービスを生成し、第１伝送領域を割り当てる過程は、図２のＳ２０１〜Ｓ２０４段階と同様である。したがって、図５ではそれ以降の段階から説明する。
【００８５】
基地局は、端末に割り当てた第１伝送領域を通じて端末にＶｏＩＰパケットを伝送する（Ｓ５０１）。ＶｏＩＰパケットを送受信する過程で通信環境の悪化やシステムの要求事項によって伝送領域を変更する必要が生じうる。この時、基地局は、制御メッセージであるＤＬ−ＭＡＰ（ＶｏＩＰ＿ＤＬ＿ＩＥ）メッセージを用いて第２伝送領域を端末に割り当てることができる（Ｓ５０２）。また、基地局は、この制御メッセージを通じてＡＣＫ信号伝送のための領域を割り当てることができる。
【００８６】
もし、端末が基地局から制御メッセージを受信した場合、端末は、この制御メッセージに含まれた第２伝送領域を新しい伝送領域として更新できる（Ｓ５０３）。Ｓ５０２段階で、端末が、制御メッセージを正常に受信した場合、それに応答してＨＡＲＱ、ＡＲＱ、ＡＣＫメッセージまたはＡＣＫヘッダのようなＡＣＫ信号を基地局に伝送することができる（Ｓ５０４）。
【００８７】
以後、基地局は、端末に割り当てた新しい伝送領域である第２伝送領域を通じてＶｏＩＰパケットを伝送することができる（Ｓ５０５）。
【００８８】
図６を参照すると、図６で基地局と端末がＶｏＩＰサービスを生成し、基地局が端末にＶｏＩＰサービスを提供するための伝送領域を割り当てる過程は、図１におけるＳ１０１〜Ｓ１０４段階と同様である。したがって、これらの過程についての説明は省略し、それ以降の段階から説明する。
【００８９】
端末は、基地局から割り当てられた第１伝送領域を通じてＶｏＩＰパケットを伝送する（Ｓ６０１）。基地局がＶｏＩＰサービスを提供する過程で端末に割り当てた無線リソースを変更する必要が生じうる。このような場合に、基地局は、制御メッセージであるＵＬ−ＭＡＰ（ＶｏＩＰ＿ＵＬ＿ＩＥ）を用いて第２伝送領域を端末に割り当てる（Ｓ６０２）。
【００９０】
ただし、Ｓ６０２段階で基地局が端末に伝送した制御メッセージが有線または無線上で失われたり誤りが生じたりして、端末が認識できない場合がありうる。制御メッセージが失われた場合、端末は、Ｓ６０２段階の制御メッセージに対するＡＣＫ信号を基地局に伝送できない（Ｓ６０３）。
【００９１】
基地局はＳ６０２段階で制御メッセージを送った後、端末が第２伝送領域を認識したか否かを判断するためにＡＣＫ信号を待つ。しかし、Ｓ６０３段階で端末はＡＣＫ信号を伝送できない。このような場合に、基地局は、端末が第２伝送領域を認識できなかったと決定する。したがって、基地局は再びＵＬ−ＭＡＰメッセージを伝送して第２伝送領域を再割当する（Ｓ６０４）。
【００９２】
Ｓ６０４段階で基地局は第２伝送領域を再割当するためのＵＬ−ＭＡＰメッセージを、次のフレームまたはシステムにより決定された値（例えば、Ｎフレーム）後に端末に再伝送する。図６では、ＵＬ−ＭＡＰメッセージがＳ６０３段階の次のフレームで直ちに再伝送される場合を示す。
【００９３】
端末が、基地局から再伝送されたＵＬ−ＭＡＰメッセージに含まれた第２伝送領域を認識し、ＶｏＩＰパケット伝送のための第１伝送領域を第２伝送領域に更新する（Ｓ６０５）。以後、端末は、Ｓ６０４段階で受信したＵＬ−ＭＡＰメッセージに対する応答としてＡＣＫ信号を基地局に伝送し（Ｓ６０６）、基地局から割り当てられた第２伝送領域を通じてＶｏＩＰパケットを伝送する。上記のような過程により、端末に新しい伝送領域が割り当てられなかった場合にも、端末に速かに伝送領域が再割当されるので、効率的なＶｏＩＰサービスが可能になる。
【００９４】
図７を参照すると、下りリンクで基地局と端末がＶｏＩＰサービスを生成し、基地局が端末にＶｏＩＰサービスを提供するための伝送領域を割り当てる過程は、図２におけるＳ２０１〜Ｓ２０４段階と同様である。したがって、これらの過程についての説明は省略し、それ以降の段階から説明する。
【００９５】
基地局は、端末に割り当てた第１伝送領域を通じてＶｏＩＰパケットを伝送する（Ｓ７０１）。基地局が端末にＶｏＩＰサービスを提供する過程で端末に割り当てた無線リソースを変更する必要が生じうる。このような場合に、基地局は、制御メッセージであるＤＬ−ＭＡＰ（ＶｏＩＰ＿ＤＬ＿ＩＥ）を用いて第２伝送領域を端末に割り当てる（Ｓ７０２）。
【００９６】
ただし、Ｓ７０２段階で基地局が端末に伝送した制御メッセージが有線または無線上で失われたり誤りが生じたりし、端末がそれを認識できない場合が生じうる。Ｓ７０２段階は、制御メッセージが失われた場合を示す。したがって、端末は、Ｓ７０２段階の制御メッセージに対するＡＣＫ信号を基地局に伝送できない（Ｓ７０３）。
【００９７】
基地局は、Ｓ７０２段階で制御メッセージを送った後、端末が第２伝送領域を認識したか否かを判断するためにＡＣＫ信号を待つ。しかし、図７では、Ｓ７０２段階で基地局が伝送したＤＬ−ＭＡＰメッセージが失われたので、端末はＡＣＫ信号を伝送できない。このような場合に、基地局は、端末が第２伝送領域を認識できなかったと把握し、再びＤＬ−ＭＡＰメッセージを伝送して第２伝送領域を再割当する（Ｓ７０４）。
【００９８】
Ｓ７０４段階で、基地局は、第２伝送領域を再割当するためのＤＬ−ＭＡＰメッセージを次のフレームまたはシステムにより決定された値（例えば、Ｎフレーム）後に端末に再伝送する。ＤＬ−ＭＡＰメッセージは、Ｓ７０３段階の次のフレームで直ちに再伝送される。
【００９９】
端末が、基地局から再伝送されたＤＬ−ＭＡＰメッセージに含まれた第２伝送領域を認識し、ＶｏＩＰパケット伝送のための第１伝送領域を第２伝送領域に更新する（Ｓ７０５）。以後、端末は、Ｓ７０４段階で受信したＤＬ−ＭＡＰメッセージに対する応答としてＡＣＫ信号を基地局に伝送し（Ｓ７０６）、基地局から割り当てられた第２伝送領域を通じてＶｏＩＰパケットを伝送する（Ｓ７０７）。従って、端末が上記に説明した段階によって、新しい伝送領域を受信することができないとしても、本発明の実施例によった基地局はＶｏＩＰサービスを効果的に提供するために、伝送領域を迅速に再割当することができる。
【０１００】
図８を参照すると、上りリンクで、基地局と端末がＶｏＩＰサービスを生成し、基地局が端末にＶｏＩＰサービスを提供するための第１伝送領域を割り当てる過程は、図１におけるＳ１０１〜S１０４段階と同様である。したがって、同一の過程についての説明は省略し、異なる過程についてのみ説明する。
【０１０１】
端末は、基地局から割り当てられた第１伝送領域を通じて基地局にＶｏＩＰパケットを伝送する（Ｓ８０１）。基地局と端末がＶｏＩＰパケットを送受信する過程でリソース割当領域を変更する必要が生じうる。この時、基地局は、制御メッセージであるＵＬ−ＭＡＰ（ＶｏＩＰ＿ＵＬ＿ＩＥ）を用いて新しい第２伝送領域を端末に割り当てることができる（Ｓ８０２）。
【０１０２】
ただし、Ｓ８０２段階で基地局が端末に伝送した制御メッセージが有無線上で失われたり誤りが生じたりし、端末がこれを正常に受信できない場合が生じうる。Ｓ８０２段階で、ＵＬ−ＭＡＰメッセージが失われた場合に、端末は、基地局がＡＣＫ信号伝送のために端末に割り当てた領域を通じてＡＣＫ信号を伝送できない（Ｓ８０３）。
【０１０３】
Ｓ８０３段階で基地局が端末からＡＣＫ信号を受信できなかったので、以前に端末に割り当てた第１伝送領域を他の端末または他のサービスを提供するために割り当てない。また、基地局は以前情報を用いて該当の端末にリソースを割り当てることもできる。
【０１０４】
端末はＵＬ−ＭＡＰメッセージを受信できなかったので、第２伝送領域を通じてＶｏＩＰパケットを伝送できない。したがって、端末は以前に割り当てられた第１伝送領域を通じて引続きＶｏＩＰパケットを基地局に伝送する（Ｓ８０４）。
【０１０５】
Ｓ８０４段階で第１伝送領域を通じて端末からＶｏＩＰパケットを受信した基地局は、端末に第２伝送領域を割り当てたにもかかわらず依然として第１伝送領域を通じてＶｏＩＰパケットが伝送されたため、Ｓ８０２段階で伝送した制御メッセージを端末が正常に受信できなかったと認識できる。
【０１０６】
したがって、基地局はＳ８０３段階の次のフレームまたは指定されたＮフレーム後に再びＵＬ−ＭＡＰ（ＶｏＩＰ＿ＵＬ＿ＩＥ）メッセージを端末に再伝送して、第２伝送領域を割り当てることができる（Ｓ８０５）。図８では、Ｎフレーム後に再伝送する場合とする。Ｓ８０５段階で、端末が基地局からＵＬ−ＭＡＰメッセージを正常に受信した場合は、端末は、ＵＬ−ＭＡＰメッセージに含まれたＡＣＫ伝送のための領域を通じて基地局にＡＣＫ信号を伝送する（Ｓ８０６）。
【０１０７】
図９を参照すると、下りリンクで、基地局と端末がＶｏＩＰサービスを生成し、基地局が端末にＶｏＩＰサービスを提供するための第１伝送領域を割り当てる過程は、図２におけるＳ２０１〜Ｓ２０４段階と同様である。したがって、同一過程については省略し、異なる過程についてのみ説明する。
【０１０８】
基地局は、端末に割り当てた第１伝送領域を通じて端末にＶｏＩＰパケットを伝送する（Ｓ９０１）。基地局と端末がＶｏＩＰパケットを送受信する過程でリソース割当領域を変更する必要が生じうる。この時、基地局は、制御メッセージのＤＬ−ＭＡＰ（ＶｏＩＰ＿ＤＬ＿ＩＥ）を用いて新しい第２伝送領域を端末に割り当てる（Ｓ９０２）。
【０１０９】
ただし、Ｓ９０２段階で基地局が端末に伝送した制御メッセージが有無線上で失われたり誤りが生じたりし、端末がそれを正常に受信できない場合が生じうる。S９０２段階でＤＬ−ＭＡＰメッセージが失われ、端末は、基地局がＡＣＫ信号伝送のために割り当てた領域を通じてＡＣＫ信号を伝送することができない（Ｓ９０３）。
【０１１０】
Ｓ９０３段階で基地局が端末からＡＣＫ信号を受信できなかったので、基地局が以前に端末に割り当てた第１伝送領域を、他の端末または他のサービスを提供するために割り当てない。また、基地局は、以前情報を用いて該当の端末にリソースを割り当てることができる。
【０１１１】
基地局は、Ｓ９０２段階で伝送したＤＬ−ＭＡＰメッセージに対する応答としてＡＣＫ信号を受信できなかった。したがって、基地局は、端末がまだ第２伝送領域を認識していないと判断し、第１伝送領域を通じてＶｏＩＰパケットを伝送する（Ｓ９０４）。
【０１１２】
また、基地局は、端末からＡＣＫ信号を受信できなかったので、Ｓ９０２段階で伝送した制御メッセージを端末が正常に受信できなかったと認識する。したがって、基地局は、Ｓ９０３段階の次のフレームまたは指定されたＮフレーム後に再びＤＬ−ＭＡＰ（ＶｏＩＰ＿ＤＬ＿ＩＥ）メッセージを端末に再伝送して、第２伝送領域を割り当てることができる（Ｓ９０５）。図９では、Ｎフレーム後に制御メッセージを再伝送する場合とする。Ｓ９０５段階で基地局からＤＬ−ＭＡＰメッセージを正常に受信した場合には、端末はこのＤＬ−ＭＡＰメッセージに含まれたＡＣＫ伝送のための領域を通じて基地局にＡＣＫ信号を伝送する（Ｓ９０６）。
【０１１３】
図４〜図９では、本発明の一実施例によってＶｏＩＰサービスのための無線リソースを割り当てる場合、ＡＣＫ信号を用いて端末と基地局間の無線リソース割当及び同期化の失敗を復旧する方法について説明した。これに対し、以下の本発明の他の実施例では、基地局が端末に割り当てた無線リソース領域に対する信号の有無を判断して制御メッセージを再伝送する方法について説明する。本発明の他の実施例により、基地局と端末の無線リソース領域割当の不一致問題を解決することができる。
【０１１４】
例えば、本発明の他の実施例によれば、基地局は、上りリンクトラフィックに対して端末に割り当てた無線リソース領域からいかなる信号も検出されないと、端末に割り当てた無線リソース領域ではなく他の無線リソース領域を認識していると判断する。したがって、基地局は、制御メッセージを再伝送することによって無線リソース領域を再割当することができる。
【０１１５】
もし、下りリンクでは、基地局は、下りリンクトラフィックに対して端末に割り当てた領域を通じてパケットを伝送する。しかし、端末に割り当てた無線リソース領域からいかなる信号も検出されないと、基地局は、端末が下りリンクに対して基地局が割り当てた無線リソース領域と異なる情報を持っていると判断し、したがって、端末に制御メッセージを再伝送することによって無線リソース領域を再割当することができる。
【０１１６】
図１０を参照すると、上りリンクで、端末及び基地局の間にＶｏＩＰサービスが生成され、基地局がＶｏＩＰサービスの提供のための第１伝送領域を割り当てることは、図１におけるＳ１０１〜Ｓ１０４段階と同様である。したがって、同一過程についての説明は省略し、異なる過程についてのみ説明する。
【０１１７】
端末は、ＶｏＩＰパケット伝送のために基地局から割り当てられた第１伝送領域を通じて、基地局にＶｏＩＰパケットを伝送する（Ｓ１００１）。ＶｏＩＰパケットを送受信する過程で通信環境の悪化やシステムの要求事項によって伝送領域を変更する必要が生じうる。このような場合に、基地局は、制御メッセージの一つであるＵＬ−ＭＡＰ（ＶｏＩＰ＿ＵＬ＿ＩＥ）メッセージを用いて端末に第１伝送領域と異なる第２伝送領域を割り当てることができる（Ｓ１００２）。
【０１１８】
ただし、Ｓ１００２段階で有線または無線上でＵＬ−ＭＡＰメッセージが失われ、端末がこのＵＬ−ＭＡＰメッセージを正常に受信できない場合が生じうる。本発明の他の実施例では、Ｓ１００２段階でＵＬ−ＭＡＰメッセージが失われてそれを端末が受信できない場合とする。
【０１１９】
端末がＵＬ−ＭＡＰメッセージを受信できなかった場合にも、基地局は第２伝送領域を端末に続けて暗黙的に割り当てることができる（Ｓ１００３）。ただし、Ｓ１００３段階で実際に基地局が端末に制御メッセージを用いて無線リソース領域を割り当てるわけではない。制御メッセージであるＵＬ−ＭＡＰメッセージは、伝送領域などを変更する必要がある場合にのみ伝送される。
【０１２０】
端末は、Ｓ１００２段階でＵＬ−ＭＡＰを受信できなかったので、第２伝送領域を通じてＶｏＩＰパケットを伝送することができない（Ｓ１００４）。もし、基地局が、端末に暗黙的に割り当てた第２伝送領域からいかなる信号も感知できないと、第２伝送領域を端末に再割当するために端末にＵＬ−ＭＡＰメッセージを再伝送する（Ｓ１００５）。
【０１２１】
図１１を参照すると、端末及び基地局の間にＶｏＩＰサービスが生成され、基地局がＶｏＩＰサービス提供のための第１伝送領域を割り当てることは、図２におけるＳ２０１〜S２０４段階と同様である。したがって、同一の過程についての説明は省略し、異なる過程についてのみ説明する。
【０１２２】
基地局は、ＶｏＩＰパケット伝送のために端末に第１伝送領域を割り当て、第１伝送領域を通じて端末にＶｏＩＰパケットを伝送する（Ｓ１１０１）。端末及び基地局はＶｏＩＰパケットを送受信する過程で、現在ＶｏＩＰサービスを提供している第１伝送領域から新しい第２伝送領域に変更する必要が生じうる。このような場合に、基地局は、制御メッセージの一つであるＤＬ−ＭＡＰ（ＶｏＩＰ＿ＤＬ＿ＩＥ）メッセージを用いて端末に第１伝送領域と異なる第２伝送領域を割り当てることができる（Ｓ１１０２）。
【０１２３】
ただし、Ｓ１１０２段階で有線または無線上でＤＬ−ＭＡＰメッセージが失われ、端末がこのＤＬ−ＭＡＰメッセージを正常に受信できない場合が生じうる。本発明の他の実施例では、Ｓ１１０２段階でＤＬ−ＭＡＰメッセージが失われ、端末がそれを受信できなかった。
【０１２４】
端末がＤＬ−ＭＡＰメッセージを受信できず、第２伝送領域を新しい伝送領域として認識できない場合にも、基地局は第２伝送領域を端末に暗黙的に割り当てることができる（Ｓ１１０３）。ただし、Ｓ１１０３段階で実際に基地局が端末に制御メッセージを用いて無線リソース領域を割り当てるわけではない。制御メッセージであるＤＬ−ＭＡＰメッセージは、伝送領域などを変更する必要がある場合にのみ伝送される。
【０１２５】
基地局はＳ１１０３段階で暗黙的に割り当てた第２伝送領域を通じて端末にＶｏＩＰパケットを伝送する（Ｓ１１０４）。しかし、Ｓ１１０４段階で基地局が端末に第２伝送領域を通じてＶｏＩＰパケットを伝送しても、端末はＶｏＩＰサービスのための伝送領域として第１伝送領域を認識しているので、基地局が第２伝送領域を通じて伝送したＶｏＩＰパケットを受信できない。
【０１２６】
したがって、端末は、ＶｏＩＰパケットに対するＡＣＫ信号も基地局に伝送することができない（Ｓ１１０５）。Ｓ１１０５段階におけるＡＣＫ信号は、図４〜図９におけるＡＣＫ信号とはその役割が異なる。すなわち、Ｓ１１０５段階におけるＡＣＫは、ＶｏＩＰパケットに対するＡＣＫ信号であり、図４〜図９におけるＡＣＫ信号は、制御メッセージに対するＡＣＫ信号である。基地局は、端末に暗黙的に割り当てた第２伝送領域からいかなる信号も感知できないと、第２伝送領域を端末に再割当するために端末にＤＬ−ＭＡＰメッセージを再伝送する（Ｓ１１０６）。
【０１２７】
以上、図４〜図１１に基づいて本発明の実施例を説明した。これらの本発明の実施例で提案した方法は、無線リソースを割り当てる場合の他に、割り当てられたリソースを変更・削除したり、持続的にリソースを新しく割り当てる場合にも同様に適用することができる。
【０１２８】
本発明によれば次のような効果がある。第一に、本発明の実施例は、ＶｏＩＰサービスを提供するための伝送領域を割り当てる制御メッセージが流失したり、エラーが発生しても速かに制御メッセージを再転送することによって端末と基地局間パケット損失問題を解決することができる。
【０１２９】
第二に、本発明の実施例は、上りリンクで端末と基地局が認識している伝送領域が互いに違うことによって発生しうる問題を解決することができる。すなわち、端末と基地局が互いに違う伝送領域を知っていることによって発生しうるＶｏＩＰパケットの損失を防ぐことができる。また、端末が自身に割り当てられた領域でない他の領域に対する情報を持っていることによって他の端末がパケットを伝送する場合、衝突が発生しうる問題点を解決することができる。
【０１３０】
第三に、伝送領域割当のための制御メッセージが流失しても本発明の実施例を通じてすぐに伝送領域を再割当することができる。したがって、基地局が端末に割り当てた下りリンク伝送領域を端末が認識できない問題点を解決することができる。
【０１３１】
第四として、本発明の実施例らを利用すれば、周期的トラフィックパターンおよび相対的に固定された大きさのペイロード(例えば、データ情報など)の連結のためのマップ メッセージのオーバーヘッドを減らすことができる。上で述べたメッセージおよびパラメーターは本発明の目的を説明するために使われた。もし、必要ならば、他のメッセージまたは、他のパラメーターが本願発明の同じ目的を具現するために使われることができる。
【０１３２】
本発明で開示された大部分の用語は本発明の機能を考慮して定義され、該当技術分野の熟練者または、一般的な順序と方法により、別に定義されることができる。したがって、上で述べた用語は本発明に開示されたすべての内容に基づいて理解されることが望ましい。
【０１３３】
本発明は、本発明の精神及び必須特徴を逸脱しない範囲で様々な形態に具体化できることは、当業にとっては明らかである。したがって、上記の詳細な説明はいずれの面においても制約的に解釈してならず、例示的なものとして考慮すべきである。本発明の範囲は、添付の請求項の合理的解釈によって定められるべきであり、本発明の等価的範囲内におけるあらゆる変更は本発明の範囲に含まれる。
【産業上の利用可能性】
【０１３４】
上記で述べたように、本発明は、無線アクセスシステムで頻繁なパケットの伝送のための無線リソース割当方法及び無線アクセスシステムにおけるパケット伝送方法に関するもので、様々な無線アクセスシステムに適用されることができる。
【０１３５】
たとえ、上記本願発明の望ましい実施例が、例示的目的で開示されていても、当業者達は、本発明の添付された請求項に開示された発明の範囲及び、技術的思想を逸脱しない範囲で様々な変形や、付加及び代替が可能であることを理解することができる。
【図１】
0005486074.tif 000003
【図２】
0005486074.tif 000004
【図３】
0005486074.tif 000005
【図４】
0005486074.tif 000006
【図５】
0005486074.tif 000007
【図６】
0005486074.tif 000008
【図７】
0005486074.tif 000009
【図８】
0005486074.tif 000010
【図９】
0005486074.tif 000011
【図１０】
0005486074.tif 000012
【図１１】
0005486074.tif 000013